(57)【要約】【課題】タクシー等が客を乗せて有料道路を走行した場合でも、ノンストップ自動料金収受（ＥＴＣ）システムの利便性を活用できるようにする。【解決手段】有料道路の料金所に設けられた路側無線装置３１との間で通行料金に関する情報を送受信する無線部１３と、走行距離および走行時間に応じて運賃を積算する運賃積算部１５と、通行料金の支払いのためにＥＴＣカードに対して読み書きを行うＥＴＣカード読み書き部１８と、運賃の精算のためにクレジットカードに対して読み書きを行うクレジットカード読み書き部２０と、有料道路を走行した場合に、無線部１３から得た通行料金と運賃とを加算して表示部１６に表示する制御部１４とを備える。【選択図】  図１
2004192389.tif 000002
【特許請求の範囲】
【請求項１】
車両に搭載されて、有料道路の料金所に設けられた路側無線装置との間で前記車両の通行料金に関する情報を送受信する無線通信手段と、前記通行料金の支払いのためにＩＣカードに対して読み書きを行うＩＣカード読み書き手段と、走行距離および走行時間に応じて運行料金を積算する運行料金積算手段と、前記無線通信手段から得た通行料金と前記運行料金とを加算する制御手段と、前記通行料金と前記運行料金とを加算した料金に関する情報を表示する表示手段とを備えた車載無線装置。
【請求項２】
前記通行料金と前記運行料金とを加算した金額を信用販売用カードから引き落とすための信用販売用カード読み書き手段を備えたことを特徴とする請求項１記載の車載無線装置。
【請求項３】
前記運行料金積算手段と少なくとも前記表示手段とが、前記車載無線装置の外部に料金自動表示器として独立していることを特徴とする請求項１または２記載の車載無線装置。
【請求項４】
領収書を発行する印刷手段を有することを特徴とする請求項１ないし３のいずれかに記載の車載無線装置。
【請求項５】
請求項１ないし４のいずれかに記載の車載無線装置と、前記車載無線装置との間で有料道路の通行料金に関する情報を送受信する路側無線装置とを備えた自動料金収受システム。
【発明の詳細な説明】
【０００１】
【発明の属する技術分野】
本発明は、タクシー等の車両に搭載されて有料道路の通行料金を精算可能な車載無線装置および自動料金収受システムに関する。
【０００２】
【従来の技術】
従来、有料道路において料金所に設置された料金徴収用路側機との間で、無線通信により通行料金の徴収を自動的に行うノンストップ自動料金収受システム（ＥＴＣ：Electronic Tool Collection）が運用され、このシステムに対応した自動料金収受車載装置（以下、ＥＴＣ車載器という。）が開発されている。
【０００３】
一方、有料道路を定期的にまたは頻繁に利用する運送業者等の特定利用者に対しては、通行料金をカードで支払えるように便宜が図られている。そして、そのカードを通行料金の支払いだけでなく、情報入手の手段として利用する装置も知られている（例えば、特許文献１参照）。
【０００４】
【特許文献１】
特公平６−７０８０５号公報
【０００５】
【発明が解決しようとする課題】
しかしながら、タクシーのような業務用車両の場合、客を乗せて有料道路を走行した場合には、乗客に対して運行料金（運賃）とは別に通行料金を請求する必要がある。このため、タクシーがＥＴＣ車載器を搭載している場合でも、ＥＴＣ車載器を使用することはできず、運転者は料金所で一時停止を行い、客が料金を支払うか、または運転者が支払って後で請求する必要がある。いずれにしても、運転者は料金所で一時停止を行うことになり、このためＥＴＣシステムの利便性を活用することができなかった。
【０００６】
本発明は、このような従来の問題を解決するものであり、旅客自動車に搭載されて、ＥＴＣシステムの利便性を活用することのできる車載無線装置および自動料金収受システムを提供することを目的とするものである。
【０００７】
【課題を解決するための手段】
上記目的を達成するために、本発明の車載無線装置は、車両に搭載されて、有料道路の料金所に設けられた路側無線装置との間で前記車両の通行料金に関する情報を送受信する無線通信手段と、前記通行料金の支払いのためにＩＣカードに対して読み書きを行うＩＣカード読み書き手段と、走行距離および走行時間に応じて運行料金を積算する運行料金積算手段と、前記無線通信手段から得た通行料金と前記運行料金とを加算する制御手段と、前記通行料金と前記運行料金とを加算した料金に関する情報を表示する表示手段とを備えたものである。この構成により、旅客自動車が客を乗せて有料道路を走行した場合でも、ＥＴＣシステムを利用して料金所をノンストップで通過できるとともに、客に運行料金に通行料金を加算した額を提示することができる。
【０００８】
また、本発明の車載無線装置は、前記通行料金と前記運行料金とを加算した金額を信用販売用カードから引き落とすための信用販売用カード読み書き手段を備えたことを特徴とする。この構成により、客は信用販売用カードを用いて料金を精算することができる。
【０００９】
また、本発明の車載無線装置は、前記運行料金積算手段と少なくとも前記表示手段とが、前記車載無線装置の外部に料金自動表示器として独立していることを特徴とする。この構成により、従来のタクシーメータと同様な料金自動表示器を設置することで、従来と同様な対応で新しいシステムを実現することができる。
【００１０】
また、本発明の車載無線装置は、領収書を発行する印刷手段を有することを特徴とする。この構成により、客の求めに応じて運行料金に通行料金を加算した金額の領収書を発行することができる。
【００１１】
また、本発明は、上記した車載無線装置との間で有料道路の通行料金に関する情報を送受信する路側無線装置を備えた自動料金収受システムであり、旅客自動車でもＥＴＣシステムの利便性を活用することができる。
【００１２】
【発明の実施の形態】
以下、本発明の実施の形態について図面を参照して説明する。
（実施の形態１）
図１は本発明の第１の実施の形態における自動料金収受システムの構成を示すものである。図１において、車載無線装置１１と路側無線装置３１とは、それぞれアンテナ１２、３２を有し、５．８ＧＨｚ帯の高周波信号を使用して通行料金に関する情報のやり取りを行う。車載無線装置１１において、無線部１３は、路側無線装置３１との間でデータの送受信および変復調を行うＤＳＲＣ（Dedicated Short Range Communication：狭域通信）方式の無線通信手段である。制御部１４は、装置全体を制御するマイクロコンピュータである。運行料金積算手段である運賃積算部１５は、走行距離や時間に応じた運賃を積算するマイクロコンピュータである。表示部１６は、有料道路の通行料金や運賃積算部１５による乗車運賃などの表示を行う液晶ディスプレイまたはＣＲＴであり、車載無線装置１１の状態を示すＬＥＤやスピーカ等の出力装置も備えている。操作部１７は、利用履歴の読み出し開始、履歴の選択、走行開始終了の指示、領収書の発行指示、宛先の入力等を行うタッチパネルまたはキーボードなどの入力装置である。ＥＴＣカード読み書き部１８は、ＥＴＣ専用のＩＣカード（メモリカード、ＳＤカード等を含む。）であるＥＴＣカード１９に対する読み書きを行う。クレジットカード読み書き部２０は、料金の精算をクレジットカード（信用販売用カード）２１で行う場合に使用する。印刷部２２は、領収書やその他の走行履歴などを印刷するプリンタである。外部機器インターフェイス部２３は、この車載無線装置１１が搭載された車両の距離センサ（車輪の回転数を検出する車速センサの信号を積分する。）から走行距離データを入力するものである。各部はバス２４を通じて制御部１４に接続され、制御部１４によって制御される。この車載無線装置１１と通信を行う路側無線装置３１は公知の構成を有する。
【００１３】
次に、車載無線装置１１の動作について説明する。この車載無線装置１１は、業務用車両としてのタクシーに搭載されるものとする。車載無線装置１１を搭載したタクシーの運転者は、カードＩＤが記録されているＥＴＣカード１９をＥＴＣカード読み書き部１８に挿入する。ＥＴＣカード１９が挿入されると、制御部１４は、カードＩＤの認証を行い、ＥＴＣカードであることを認識すると、表示部１６の確認用ＬＥＤを点灯し、音声と共にユーザにその旨を伝える。この車載無線装置１１を搭載したタクシーが、有料道路に入って路側無線装置３１の通信可能エリア外を走行している場合は、車載無線装置１１は待機状態になっている。車載無線装置１１が路側無線装置３１の通信可能エリア内に入ると、路側無線装置３１からアンテナ３２、１２を介して無線部１３に受信された電波の電界強度が検知され、それがある一定レベルを超えたところで、制御部１４は、車両が路側無線装置３１の通信可能エリアに入ったことを認識し、車載無線装置１１は、通信状態へと移行し、半二重通信による課金処理へと移る。無線部１３によって受信された５．８ＧＨｚの高周波信号は、１Ｍｂｐｓのベースバンド信号へ変換され、受信データの復号化が行われるとともに、車載無線装置１１に記録されている車種情報や、ＥＴＣカード読み書き部１８を介してＥＴＣカード１９から読み出した料金所通過情報が暗号化されて路側無線装置３１へ送信される。路側無線装置３１では、受信した車種情報と料金所通過情報とから通行料金を算出し、車載無線装置１１に送信する。車載無線装置１１では、その通行料金が表示部１６によって音声や表示によってドライバーに伝えられるとともに、その通行料金をＥＴＣカード１９から差し引くか、またはＥＴＣカード１９に記録する。後者の場合は、通行料金に関する請求書が後から送付されてくる。車両が路側無線装置３１の通信エリアを通過しエリア外に出ると、アンテナ１２からの入力電界強度の低下を無線部１３で検知され、これが制御部１４に伝えられ、車載無線装置１１は再び待機状態へと移行する。以上が、一般的なＥＴＣシステムの利用方法である。
【００１４】
次に、タクシーが客を乗せて有料道路を走行する場合について説明する。客がタクシーに乗車すると、運転者は操作部１７を操作して運賃積算部１５を稼動させる。運賃積算部１５は、外部機器インターフェイス部２３からの走行距離データおよび運賃積算部１５内部のタイマーの時間データから走行距離および走行時間に応じて料金を積算してゆく。タクシーが有料道路に入って走行し、出口料金所に近づくと、上記と同様にして運転者はＥＴＣカード１９を使用して料金の精算を行うが、路側無線装置３１からの料金情報は、制御部１４によって運賃積算部１５で算出した運賃に加算される。この際、表示部１６には、運賃と通行料金とその合計料金が表示されるとともに、通行料金が運賃に加算されたことを表示部１６のスピーカから音声で案内する。このようにして出口料金所をノンストップで通過してタクシーが客の指示する場所で停車すると、運転者は操作部１７の操作により運賃積算部１５の稼動を停止させ、客から運賃に通行料金を加算した金額を現金で受け取る。客が料金をクレジットカード２１で支払う場合は、クレジットカード２１をクレジットカード読み書き部２０に挿入して、制御部１４がクレジットカード読み書き部２０を通じて料金の精算を行う。客が領収書を要求した場合は、印刷部２２から運賃に通行料金を加算して金額の領収書を発行する。なお、これら運賃の精算およびタクシーの走行履歴はすべて図示されない記憶部に記録され、必要に応じて印刷部２２から出力することができる。
【００１５】
このように、本実施の形態１によれば、有料道路の料金所に設けられた路側無線装置３１との間で通行料金に関する情報を送受信する無線部１３と、走行距離および走行時間に応じて運賃を積算する運賃積算部１５と、通行料金の支払いのためにＥＴＣカードに対して読み書きを行うＥＴＣカード読み書き部１８と、運賃の精算のためにクレジットカードに対して読み書きを行うクレジットカード読み書き部２０と、有料道路を走行した場合に、無線部１３から得た通行料金を運賃に加算して表示部１６に表示する制御部１４とを備えているので、タクシーが客を乗せて有料道路を走行した場合でも、ＥＴＣシステムを利用して料金所をノンストップで通過できるとともに、客に運賃に通行料金を加算した額を提示し、現金を受け取るか、またはクレジットカード２１により精算することができる。
【００１６】
（実施の形態２）
次に、本発明の第２の実施の形態について説明する。図２は本発明の第２の実施の形態における自動料金収受システムの構成を示している。本実施の形態２が上記した実施の形態１と異なるのは、車載無線装置１１の運賃積算手段１５が、タクシーメータである料金自動表示器３０として車載無線装置１１の外部に独立して設けられていることである。このような料金自動表示器３０を用いることにより、乗車客は従来と同様なタクシーメータが存在することにより、運転者も乗客も従来と同様な対応を取ることができる。
【００１７】
図２において、車載無線装置１１Ａは、外部機器インターフェイス部２３にケーブル２５を通じて料金自動表示器３０が接続されている。外部機器インターフェイス部２３は、公知のＲＳ−２３２Ｃ、ＳＣＳＩ、ＵＳＢなどが使用可能である。料金自動表示器３０は、従来のタクシーメータと同様な機能および外観を有し、外部機器と接続するためのインターフェイス部２６と、走行距離に応じて運賃を計算するための運賃積算部２７と、料金自動表示器３０を制御する制御部２８と、運賃と通行料金を表示するＬＥＤ表示器を有する表示部２９とを備えている。インターフェイス部２６には車両の距離センサからの信号も入力される。車載無線装置１１Ａの他の構成要素については、図１に示した実施の形態１と同じなので、同じ構成要素には同じ符号を付して重複した説明は省略する。また、路側無線装置３１の構成も実施の形態１と同じである。
【００１８】
次に、本実施の形態２の動作について説明する。車載無線装置１１ＡのＥＴＣ車載器としての機能は実施の形態１と同じである。客がこの車載無線装置１１Ａを搭載したタクシーに乗車すると、運転者は、従来と同様に、料金自動表示器３０を倒して料金自動表機器３０を稼動させる。運賃積算部２７は、インターフェイス部２６から入力された走行距離データおよび内部のタイマーからの時間データを基に運賃を積算して表示部２９に表示する。タクシーが有料道路に入って走行し、出口料金所に近づくと、実施の形態１と同様にして運転者はＥＴＣカード１９を使用して料金の精算を行うが、路側無線装置３１からの料金情報は、制御部１４によって外部機器インターフィイス部２３からケーブル２５を通じて料金自動表示器３０のインターフェイス部２６に入力され、制御部２８によって運賃積算部２７で算出した運賃に加算され、その加算された金額が表示部２９に表示される。表示部２９には、１つのＬＥＤ表示器に運賃と通行料金とその合計料金とをそれぞれ表示してもよく、通行料金が運賃に加算されたことを表示部１６のスピーカから音声で案内する。このようにして出口料金所をノンストップで通過して、タクシーが客の指示する場所で停車すると、運転者は、客から運賃に通行料金を加算した金額を現金で受け取るか、客が料金をクレジットカード２１で支払う場合は、クレジットカード２１をクレジットカード読み書き部２０に挿入して、制御部１４がクレジットカード読み書き部２０を通じて料金の精算を行う。
客が領収書を要求した場合は、印刷部２２から運賃に通行料金を加算して金額の領収書を発行する。料金の支払いが済んだ後は、料金自動表示器３０を倒して空車の表示を行う。
【００１９】
このように、本実施の形態２によれば、従来のタクシーメータと同様な構成および外観の料金自動表示器３０を車載無線装置１１Ａの外部に独立して設けたので、運転者および乗車客の双方とも従来と同様に対応することができ、客は違和感なく乗車することができる。
【００２０】
なお、料金自動表示器３０は、既存のタクシーメータの構成にインターフェイス部２６を追加して、車載無線装置１１Ａと接続するようにしてもよい。また、車載無線装置１１Ａと料金自動表示器３０とは、ケーブル２５の代わりに赤外線無線やブルートゥース等で接続してもよい。
【００２１】
【発明の効果】
以上説明したように、本発明の車載無線装置は、有料道路の料金所に設けられた路側無線装置との間で車両の通行料金に関する情報を送受信する無線通信手段と、通行料金の支払いのためにＩＣカードに対して読み書きを行うＩＣカード読み書き手段と、走行距離および走行時間に応じて運行料金を積算する運行料金積算手段と、無線通信手段から得た通行料金と運行料金とを加算する制御手段と、通行料金と運行料金とを加算した料金に関する情報を表示する表示手段とを備えているので、旅客自動車が客を乗せて有料道路を走行した場合でも、ＥＴＣシステムを利用して料金所をノンストップで通過できるとともに、客に運行料金に通行料金を加算した額を提示することができる。
【図面の簡単な説明】
【図１】本発明の実施の形態１における自動料金収受システムの構成を示す概略ブロック図
【図２】本発明の実施の形態２における自動料金収受システムの構成を示す概略ブロック図
【符号の説明】
１１、１１Ａ  車載無線装置
１２  アンテナ
１３  無線部
１４  制御部
１５  運賃積算部
１６  表示部
１７  操作部
１８  ＥＣＴカード読み書き部
１９  ＥＴＣカード
２０  クレジットカード読み書き部
２１  クレジットカード
２２  印刷部
２３  外部機器インターフェイス部
２４  バス
２５  ケーブル
２６  インターフェイス部
２７  運賃積算部
２８  制御部
２９  表示部
３０  料金自動表示器（タクシーメータ）
【図１】
2004192389.tif 000003
【図２】
2004192389.tif 000004